【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
ユーザがメディアプレーヤーを用いてメディアファイルを操作できるように１又は複数のメディアファイルを編成する方法であって、前記メディアファイルは、それぞれが、関連するメディアタイプを有し、前記メディアタイプに応じて前記メディアプレーヤーによるレンダリングのために適合されており、前記メディアプレーヤーもまた関連するメディアタイプを有している方法において、
メニューヘッダを作成するステップと、
前記作成されたメニューヘッダに１又は複数の選択されたメディアファイルへの参照を設定するステップと、
前記選択されたメディアファイルのそれぞれと関連するメディアタイプを識別するステップと、
前記メニューヘッダに、前記設定されたメニューヘッダを読み取る前記識別されたメディアタイプを設定するステップと、
前記選択されたメディアファイルへの参照を前記メディアプレーヤーと関連するメディアタイプに応じてフィルタリングすることにより、前記読み取られたメニューヘッダを適合させるステップと、
前記適合されたメニューヘッダによって指示されるように、前記メディアプレーヤーと関連するメニュー情報だけをユーザに向けてディスプレイ上に表示するステップと、
を含むことを特徴とするコンピュータ化された方法。
【請求項２】
請求項１記載の方法において、前記メニューヘッダに他のメニューヘッダへの参照を設定して前記メニューヘッダと前記他のメニューヘッダとの間の操作を可能にするステップを更に含むことを特徴とする方法。
【請求項３】
請求項１記載の方法において、前記選択されたメディアファイルと前記設定されたメニューヘッダとを前記メディアプレーヤーと互換性があるコンピュータ可読媒体上に記憶するステップを更に含むことを特徴とする請求項１に記載の方法。
【請求項４】
請求項１記載の方法において、前記選択されたメディアファイルと関連するメディアタイプと前記メディアプレーヤーと関連するメディアタイプとは、オーディオ、ビデオ及び画像の中の１又は複数を含むことを特徴とする方法。
【請求項５】
請求項１記載の方法において、前記メニューヘッダに設定する前記参照は、前記選択されたメディアファイルに対するメモリ位置のオフセット、前記選択されたメディアファイルを参照する再生リストに対するポインタ又は前記選択されたメディアファイルに対するポインタの中の１つを含むことを特徴とする方法。
【請求項６】
請求項１記載の方法において、１又は複数のコンピュータ可読媒体は、請求項１記載の方法を実行するコンピュータが実行可能な命令を有することを特徴とする方法。
【請求項７】
ユーザがメディアプレーヤーを用いてメディアファイルを操作できるように１又は複数のメディアファイルを編成するコンピュータが実行可能なコンポーネントを有し有体物である１又は複数のコンピュータ可読媒体のメディアオーサリングツールであって、前記メディアファイルは、それぞれが関連するメディアタイプを有し、前記メディアタイプに応じて前記メディアプレーヤーによるレンダリングのために適合されており、前記メディアプレーヤーもまた関連するメディアタイプを有し、前記コンポーネントが、
メニューヘッダを作成する初期化モジュールと、
前記初期化モジュールからの前記作成されたメニューヘッダに１又は複数の選択されたメディアファイルへの参照を設定する再生リストモジュールと、
前記再生リストモジュールからの前記選択されたメディアファイルのそれぞれと関連するメディアタイプを識別する要約モジュールと、
前記メニューヘッダに前記要約モジュールからの前記識別されたメディアタイプを設定する伝搬モジュールと、
設定されたメニューヘッダを読み取る入力モジュールと、
前記選択されたメディアファイルへの参照を前記メディアプレーヤーと関連するメディアタイプに応じてフィルタリングすることにより、前記入力モジュールからの前記読み取られたメニューヘッダを適合させるメニューモジュールと、
前記適合されたメニューヘッダによって指示されるように、前記メディアプレーヤーと関連するメニュー情報だけをユーザに向けてディスプレイ上に表示するユーザインターフェースモジュールと、
を備えていることを特徴とするメディアオーサリングツール。
【請求項８】
請求項７記載のメディアオーサリングツールにおいて、前記メニューヘッダに他のメニューヘッダへの参照を設定して前記メニューヘッダと前記他のメニューヘッダとの間の操作を可能にするメニューモジュールを更に備えていることを特徴とするメディアオーサリングツール。
【請求項９】
請求項７記載のメディアオーサリングツールおいて、前記選択されたメディアファイルと前記設定されたメニューヘッダとを前記メディアプレーヤーと互換性があるコンピュータ可読媒体上に記憶する書き込みモジュールを更に備えていることを特徴とするメディアオーサリングツール。
【請求項１０】
請求項７記載のメディアオーサリングツールにおいて、前記選択されたメディアファイルと関連するメディアタイプと前記メディアプレーヤーと関連するメディアタイプとは、オーディオ、ビデオ及び画像の中の１つ又は複数を含むことを特徴とするメディアオーサリングツール。
【請求項１１】
請求項７記載のメディアオーサリングツールにおいて、前記メニューヘッダに設定する前記参照は、前記選択されたメディアファイルに対するメモリ位置のオフセット、前記選択されたメディアファイルを参照する再生リストに対するポインタ又は前記選択されたメディアファイルに対するポインタの中の１つを含むことを特徴とするメディアオーサリングツール。
【請求項１２】
１又は複数のメディアファイルの編成を表すデータ構造が記憶されたコンピュータ可読媒体であって、前記メディアファイルは、それぞれが関連するメディアタイプを有し、前記メディアタイプに応じて前記メディアプレーヤーによるレンダリングのために適合されており、前記メディアプレーヤーは関連するメディアタイプを有し、前記データ構造によりユーザが前記メディアプレーヤーを用いて前記メディアファイルを操作でき、前記データ構造は、
関連するメディアタイプをそれぞれが有する１又は複数の選択されたメディアファイルへの参照を記憶する再生リストフィールドと、
前記再生リストフィールドにおいて参照された選択された前記１又は複数のメディアファイルに対するメディアタイプを記憶する要約フィールドと、
を含み、前記データ構造は、前記メディアプレーヤーによって、前記選択されたメディアファイルをフィルタリングし前記メディアプレーヤーと関連するメディアタイプを有する選択されたメディアファイルだけを指示するのに用いられることを特徴とする有体物であるコンピュータ可読媒体。
【請求項１３】
請求項１２記載のコンピュータ可読媒体において、他のデータ構造への参照を記憶して前記データ構造と前記他のデータ構造との間の操作を可能にするメニューフィールドを更に含むことを特徴とするコンピュータ可読媒体。
【請求項１４】
請求項１２記載のコンピュータ可読媒体において、前記参照は、前記選択されたメディアファイルに対するメモリ位置のオフセット、前記選択されたメディアファイルを参照する再生リストに対するポインタ又は前記選択されたメディアファイルに対するポインタの中の１つを含むことを特徴とするコンピュータ可読媒体。
【請求項１５】
請求項１２記載のコンピュータ可読媒体において、前記データ構造は、前記選択されたメディアファイルと関連するメタデータを識別する値を記憶する地域フィールドを更に含み、前記メタデータは特定の言語に対応することを特徴とするコンピュータ可読媒体。
【請求項１６】
請求項１２記載のコンピュータ可読媒体において、コンテンツに関連したデータに対応する値を記憶するメタデータフィールドを更に備えており、前記コンテンツに関連したデータは、前記メディアプレーヤーの機能に応じて、前記１つまたは複数の選択されたメディアファイルのコンテンツのタイトル、作曲家、演者、ジャンル、スタジオ、ディレクタ、格付け、アーティスト及び説明の中の１又は複数から選択されることを特徴とするコンピュータ可読媒体。